【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて干渉を緩和するための方法であって、
サービング基地局において、干渉時分割複信（ＴＤＤ）構成と、前記サービング基地局の通信とネイバー基地局の通信との間のアップリンク／ダウンリンク不整合から生じる干渉とを識別することと、前記干渉ＴＤＤ構成は、少なくとも
ユーザ機器（ＵＥ）からシグナリングを受信すること、
前記サービング基地局によってサービングされるＵＥのためのアップリンクサブフレームの間に前記ネイバー基地局のダウンリンク信号を検出すること、または、
共通基準信号（ＣＲＳ）トーンまたはチャネル状態情報基準信号（ＣＳＩ−ＲＳ）トーンのエネルギーを検出すること
によって識別され、
前記識別された干渉ＴＤＤ構成に少なくとも部分的に基づいて干渉管理を実行することと
を備える、方法。
【請求項２】
前記干渉管理が、前記識別された干渉を回避すること、または前記識別された干渉を消去することを備え、
特に、前記識別された干渉を消去することが、意図されたアップリンク信号を受信したとき、干渉ダウンリンク信号を消去することを備える、請求項１に記載の方法。
【請求項３】
前記干渉管理が、
前記サービング基地局によってサービングされるＵＥのために、スケジューリング、変調およびコーディング方式（ＭＣＳ）、電力制御、またはそれらの組合せのうちの少なくとも１つを変更すること、または、
潜在的に整合しないアップリンク／ダウンリンクサブフレームについての第１のチャネル状態情報（ＣＳＩ）報告をスケジュールすることと、
異なるアップリンク／ダウンリンク構成にわたる共通アップリンク／ダウンリンクサブフレームについての第２のチャネル状態情報（ＣＳＩ）報告をスケジュールすることと
を備え、
前記方法が、前記第１のＣＳＩ報告と前記第２のＣＳＩ報告とに少なくとも部分的に基づいてＵＥ干渉を識別することをさらに備える、
を備える、請求項１に記載の方法。
【請求項４】
ワイヤレスネットワークにおいて干渉を緩和するための方法であって、
ユーザ機器（ＵＥ）によって、前記ＵＥのダウンリンクサブフレーム中のアップリンク干渉を測定することと、
前記アップリンク干渉をｅノードＢに報告することと
を備える、方法。
【請求項５】
意図されたダウンリンク信号を受信したとき、干渉アップリンク信号を消去すること、または、
アンカーサブフレームを識別する送信を受信することをさらに備え、
特に、前記送信がブロードキャストまたはユニキャストである、請求項４に記載の方法。
【請求項６】
再定義されたハイブリッド自動再送要求（ＨＡＲＱ）構成を受信することをさらに備え、
特に、前記再定義されたＨＡＲＱ構成が、非アンカーサブフレームのために前にスケジュールされたＡＣＫ／ＮＡＣＫ送信をアンカーサブフレームまで遅延させ、
または、特に、前記再定義されたＨＡＲＱ構成が、前記非アンカーサブフレームに対して前にスケジュールされたＡＣＫ／ＮＡＣＫ送信を、前記アンカーサブフレームに対してスケジュールされたＡＣＫ／ＮＡＣＫ送信とバンドルする、請求項４に記載の方法。
【請求項７】
ワイヤレス通信のための装置であって、
サービング基地局において、干渉時分割複信（ＴＤＤ）構成と、前記サービング基地局の通信とネイバー基地局の通信との間のアップリンク／ダウンリンク不整合から生じる干渉とを識別するための手段と、前記干渉ＴＤＤ構成は、少なくとも
ユーザ機器（ＵＥ）からシグナリングを受信すること、
前記サービング基地局によってサービングされるＵＥのためのアップリンクサブフレームの間に前記ネイバー基地局のダウンリンク信号を検出すること、または
共通基準信号（ＣＲＳ）トーンまたはチャネル状態情報基準信号（ＣＳＩ−ＲＳ）トーンのエネルギーを検出すること
によって識別され、
前記識別された干渉ＴＤＤ構成に少なくとも部分的に基づいて干渉管理を実行するための手段と
を備える、装置。
【請求項８】
様々な前記手段は、
メモリと、
前記メモリに結合された少なくとも１つのプロセッサと
を用いて実施され、前記少なくとも１つのプロセッサが、
干渉時分割複信（ＴＤＤ）構成と、前記サービング基地局の通信と前記ネイバー基地局の通信との間のアップリンク／ダウンリンク不整合から生じる干渉とを識別することと、前記少なくとも１つのプロセッサは、少なくとも
ユーザ機器（ＵＥ）からシグナリングを受信すること、
前記サービング基地局によってサービングされるＵＥのためのアップリンクサブフレームの間に前記ネイバー基地局のダウンリンク信号を検出すること、または
共通基準信号（ＣＲＳ）トーンまたはチャネル状態情報基準信号（ＣＳＩ−ＲＳ）トーンのエネルギーを検出すること
によって前記干渉ＴＤＤ構成を識別するようにさらに構成され、
前記識別された干渉ＴＤＤ構成に少なくとも部分的に基づいて干渉管理を実行することと
を行うように構成された、請求項７に記載の装置。
【請求項９】
前記少なくとも１つのプロセッサが、前記識別された干渉を回避すること、または前記識別された干渉を消去することを行うようにさらに構成され、
特に、前記少なくとも１つのプロセッサが、意図されたアップリンク信号を受信したとき、干渉ダウンリンク信号を消去するようにさらに構成された、請求項８に記載の装置。
【請求項１０】
前記少なくとも１つのプロセッサが、
ＵＥのスケジューリング、変調およびコーディング方式（ＭＣＳ）、電力制御、またはそれらの組合せのうちの１つまたは複数を変更すること、または、
潜在的に整合しないアップリンク／ダウンリンクサブフレームについての第１のチャネル状態情報（ＣＳＩ）報告をスケジュールすることと、
異なるアップリンク／ダウンリンク構成にわたる共通アップリンク／ダウンリンクサブフレームについての第２のチャネル状態情報（ＣＳＩ）報告をスケジュールすることと、前記方法が、前記第１のＣＳＩ報告と前記第２のＣＳＩ報告とに少なくとも部分的に基づいてＵＥ干渉を識別することをさらに備える、
を行うようにさらに構成された、請求項８に記載の装置。
【請求項１１】
ワイヤレス通信のための装置であって、
ユーザ機器（ＵＥ）によって、前記ＵＥのダウンリンクサブフレーム中のアップリンク干渉を測定するための手段と、
前記アップリンク干渉をｅノードＢに報告するための手段と
を備える、装置。
【請求項１２】
様々な前記手段は、
メモリと、
前記メモリに結合された少なくとも１つのプロセッサと
で実装され、前記少なくとも１つのプロセッサが、
前記ＵＥによって、前記ＵＥのダウンリンクサブフレーム中のアップリンク干渉を測定することと、
前記アップリンク干渉をｅノードＢに報告することと
を行うように構成された、請求項１１に記載の装置。
【請求項１３】
前記少なくとも１つのプロセッサが、意図されたダウンリンク信号を受信したとき、干渉アップリンク信号を消去するようにさらに構成され、または、
アンカーサブフレームを識別する送信を受信するようにさらに構成され、
特に、前記送信がブロードキャストまたはユニキャストである、請求項１２に記載の装置。
【請求項１４】
前記少なくとも１つのプロセッサが、再定義されたハイブリッド自動再送要求（ＨＡＲＱ）構成を受信するようにさらに構成され、
特に、前記再定義されたＨＡＲＱ構成が、非アンカーサブフレームのために前にスケジュールされたＡＣＫ／ＮＡＣＫ送信をアンカーサブフレームまで遅延させる、または、
特に、前記再定義されたＨＡＲＱ構成が、前記非アンカーサブフレームに対して前にスケジュールされたＡＣＫ／ＮＡＣＫ送信を、前記アンカーサブフレームに対してスケジュールされたＡＣＫ／ＮＡＣＫ送信とバンドルする、請求項１２に記載の装置。
【請求項１５】
ワイヤレス通信のためのコンピュータプログラム製品であって、
コンピュータ上で実行されたとき請求項１乃至６のうちのいずれか一項のステップを実行するためのプログラムコードを記録した非一時的コンピュータ可読媒体を備える、コンピュータプログラム製品。
【手続補正２】
【補正対象書類名】明細書
【補正対象項目名】０１１４
【補正方法】変更
【補正の内容】
【０１１４】
[00125]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］  ワイヤレスネットワークにおいて干渉を緩和するための方法であって、
干渉時分割複信（ＴＤＤ）構成と、第１の基地局のアップリンク通信と第２の基地局のダウンリンク通信との間の不整合から生じる干渉とを識別することと、
前記識別された干渉ＴＤＤ構成に少なくとも部分的に基づいて干渉管理を実行することと
を備える、方法。
［Ｃ２］  前記干渉管理が、前記識別された干渉を回避すること、または前記識別された干渉を消去することを備える、Ｃ１に記載の方法。
［Ｃ３］  前記識別された干渉を消去することが、意図されたアップリンク信号を受信したとき、干渉ダウンリンク信号を消去することを備える、Ｃ２に記載の方法。
［Ｃ４］  前記識別することが、サービング基地局のユーザ機器（ＵＥ）に関連するアップリンクサブフレーム内のダウンリンク信号を検出することによって干渉基地局を識別することを備え、
前記干渉管理が、ＵＥのスケジューリング、変調およびコーディング方式（ＭＣＳ）、電力制御、またはそれらの組合せのうちの１つまたは複数を変更することを備える、Ｃ１に記載の方法。
［Ｃ５］  前記識別することが、共通基準信号（ＣＲＳ）トーンまたはチャネル状態情報基準信号（ＣＳＩ−ＲＳ）トーンのエネルギーを検出することを備える、Ｃ１に記載の方法。
［Ｃ６］  前記識別することが、ユーザ機器（ＵＥ）からシグナリングを受信することを備え、前記シグナリングがサービング基地局にＵＥ間干渉を通知する、Ｃ１に記載の方法。
［Ｃ７］  前記干渉管理が、
潜在的に整合しないアップリンク／ダウンリンクサブフレームについての第１のチャネル状態情報（ＣＳＩ）報告をスケジュールすることと、
異なるアップリンク／ダウンリンク構成にわたる共通アップリンク／ダウンリンクサブフレームについての第２のチャネル状態情報（ＣＳＩ）報告をスケジュールすることとを備え、
前記方法が、前記第１のＣＳＩ報告と前記第２のＣＳＩ報告とに少なくとも部分的に基づいてユーザ機器（ＵＥ）干渉を識別することをさらに備える、Ｃ１に記載の方法。
［Ｃ８］  ワイヤレスネットワークにおいて干渉を緩和するための方法であって、
ユーザ機器（ＵＥ）によって、前記ＵＥのダウンリンクサブフレーム中のアップリンク干渉を測定することと、
前記アップリンク干渉をｅノードＢに報告することと
を備える、方法。
［Ｃ９］  意図されたダウンリンク信号を受信したとき、干渉アップリンク信号を消去することをさらに備える、Ｃ８に記載の方法。
［Ｃ１０］  アンカーサブフレームを識別する送信を受信することをさらに備える、Ｃ８に記載の方法。
［Ｃ１１］  前記送信がブロードキャストまたはユニキャストである、Ｃ１０に記載の方法。
［Ｃ１２］  再定義されたハイブリッド自動再送要求（ＨＡＲＱ）構成を受信することをさらに備える、Ｃ８に記載の方法。
［Ｃ１３］  前記再定義されたＨＡＲＱ構成が、非アンカーサブフレームのために前にスケジュールされたＡＣＫ／ＮＡＣＫ送信をアンカーサブフレームまで遅延させる、Ｃ１２に記載の方法。
［Ｃ１４］  前記再定義されたＨＡＲＱ構成が、前記非アンカーサブフレームに対して前にスケジュールされたＡＣＫ／ＮＡＣＫ送信を、前記アンカーサブフレームに対してスケジュールされたＡＣＫ／ＮＡＣＫ送信とバンドルする、Ｃ１２に記載の方法。
［Ｃ１５］  複数のアップリンク構成およびダウンリンク構成にわたって共通であるサブフレームのアンカーセットを定義することと、
異なるアップリンク構成およびダウンリンク構成にわたって潜在的に共通でないサブフレームの非アンカーセットを定義することと、
前記アンカーセット、前記非アンカーセット、またはそれらの組合せのうちの１つまたは複数を少なくとも１つのユーザ機器（ＵＥ）にシグナリングすることと
を備える、ワイヤレス通信の方法。
［Ｃ１６］  サブフレームの前記アンカーセット上でダウンリンク割当て、アップリンク許可、またはそれらの組合せのうちの１つまたは複数を送信することによってサブフレームにわたってスケジュールすることをさらに備える、Ｃ１５に記載の方法。
［Ｃ１７］  サブフレームの前記非アンカーセットのためにハイブリッド自動再送要求（ＨＡＲＱ）構成を再定義することをさらに備える、Ｃ１５に記載の方法。
［Ｃ１８］  前記再定義されたＨＡＲＱ構成が、非アンカーサブフレームのために前にスケジュールされたＡＣＫ／ＮＡＣＫ送信をアンカーサブフレームまで遅延させる、Ｃ１７に記載の方法。
［Ｃ１９］  前記再定義されたＨＡＲＱ構成が、前記非アンカーサブフレームに対して前にスケジュールされた前記ＡＣＫ／ＮＡＣＫ送信を、前記アンカーサブフレームに対してスケジュールされた前記ＡＣＫ／ＮＡＣＫ送信とバンドルする、Ｃ１８に記載の方法。
［Ｃ２０］  前記再定義されたＨＡＲＱ構成を可能にすることをさらに備える、Ｃ１７に記載の方法。
［Ｃ２１］  異なるＵＥに異なるアンカーサブフレーム構成をシグナリングすることをさらに備える、Ｃ１５に記載の方法。
［Ｃ２２］  サブフレームの前記アンカーセットのみの上でＵＥのサブセットと通信することをさらに備える、Ｃ１５に記載の方法。
［Ｃ２３］  アンカーサブフレームについての第１のチャネル状態情報（ＣＳＩ）と非アンカーサブフレームについての第２のＣＳＩとを報告するように前記少なくとも１つのＵＥを構成することをさらに備える、Ｃ１５に記載の方法。
［Ｃ２４］  前記シグナリングすることが、システム情報ブロック（ＳＩＢ）シグナリング、無線リソース制御（ＲＲＣ）シグナリング、Ｘ２シグナリング、または物理ダウンリンク制御チャネル（ＰＤＣＣＨ）シグナリングである、Ｃ１５に記載の方法。
［Ｃ２５］  前記シグナリングすることがＵＥ固有またはグループＵＥベースである、Ｃ２４に記載の方法。
［Ｃ２６］  メモリと、
前記メモリに結合された少なくとも１つのプロセッサと
を備える、ワイヤレス通信のための装置であって、前記少なくとも１つのプロセッサが、
干渉時分割複信（ＴＤＤ）構成と、第１の基地局のアップリンク通信と第２の基地局のダウンリンク通信との間の不整合から生じる干渉とを識別することと、
前記識別された干渉ＴＤＤ構成に少なくとも部分的に基づいて干渉管理を実行することと
を行うように構成された、装置。
［Ｃ２７］  前記少なくとも１つのプロセッサが、前記識別された干渉を回避すること、または前記識別された干渉を消去することを行うようにさらに構成された、Ｃ２６に記載の装置。
［Ｃ２８］  前記少なくとも１つのプロセッサが、意図されたアップリンク信号を受信したとき、干渉ダウンリンク信号を消去するようにさらに構成された、Ｃ２７に記載の装置。
［Ｃ２９］  前記少なくとも１つのプロセッサが、
サービング基地局のユーザ機器（ＵＥ）に関連するアップリンクサブフレーム内のダウンリンク信号を検出することによって干渉基地局を識別することと、
ＵＥのスケジューリング、変調およびコーディング方式（ＭＣＳ）、電力制御、またはそれらの組合せのうちの１つまたは複数を変更することと
を行うようにさらに構成された、Ｃ２６に記載の装置。
［Ｃ３０］  前記少なくとも１つのプロセッサが、共通基準信号（ＣＲＳ）トーンまたはチャネル状態情報基準信号（ＣＳＩ−ＲＳ）トーンのエネルギーを検出するようにさらに構成された、Ｃ２６に記載の装置。
［Ｃ３１］  前記少なくとも１つのプロセッサが、ユーザ機器（ＵＥ）からシグナリングを受信するようにさらに構成され、前記シグナリングがサービング基地局にＵＥ間干渉を通知する、Ｃ２６に記載の装置。
［Ｃ３２］  前記少なくとも１つのプロセッサが、
潜在的に整合しないアップリンク／ダウンリンクサブフレームについての第１のチャネル状態情報（ＣＳＩ）報告をスケジュールすることと、
異なるアップリンク／ダウンリンク構成にわたる共通アップリンク／ダウンリンクサブフレームについての第２のチャネル状態情報（ＣＳＩ）報告をスケジュールすることと、
前記第１のＣＳＩ報告と前記第２のＣＳＩ報告とに少なくとも部分的に基づいてユーザ機器（ＵＥ）干渉を識別することと
を行うようにさらに構成された、Ｃ２６に記載の装置。
［Ｃ３３］  メモリと、
前記メモリに結合された少なくとも１つのプロセッサと
を備える、ワイヤレス通信のための装置であって、前記少なくとも１つのプロセッサが、
ユーザ機器（ＵＥ）によって、前記ＵＥのダウンリンクサブフレーム中のアップリンク干渉を測定することと、
前記アップリンク干渉をｅノードＢに報告することと
を行うように構成された、装置。
［Ｃ３４］  前記少なくとも１つのプロセッサが、意図されたダウンリンク信号を受信したとき、干渉アップリンク信号を消去するようにさらに構成された、Ｃ３３に記載の装置。
［Ｃ３５］  前記少なくとも１つのプロセッサが、アンカーサブフレームを識別する送信を受信するようにさらに構成された、Ｃ３３に記載の装置。
［Ｃ３６］  前記送信がブロードキャストまたはユニキャストである、Ｃ３５に記載の装置。
［Ｃ３７］  前記少なくとも１つのプロセッサが、再定義されたハイブリッド自動再送要求（ＨＡＲＱ）構成を受信するようにさらに構成された、Ｃ３３に記載の装置。
［Ｃ３８］  前記再定義されたＨＡＲＱ構成が、非アンカーサブフレームのために前にスケジュールされたＡＣＫ／ＮＡＣＫ送信をアンカーサブフレームまで遅延させる、Ｃ３７に記載の装置。
［Ｃ３９］  前記再定義されたＨＡＲＱ構成が、前記非アンカーサブフレームに対して前にスケジュールされたＡＣＫ／ＮＡＣＫ送信を、前記アンカーサブフレームに対してスケジュールされたＡＣＫ／ＮＡＣＫ送信とバンドルする、Ｃ３７に記載の装置。
［Ｃ４０］  メモリと、
前記メモリに結合された少なくとも１つのプロセッサと
を備える、ワイヤレス通信のための装置であって、前記少なくとも１つのプロセッサが、
複数のアップリンク構成およびダウンリンク構成にわたって共通であるサブフレームのアンカーセットを定義することと、
異なるアップリンク構成およびダウンリンク構成にわたって潜在的に共通でないサブフレームの非アンカーセットを定義することと、
前記アンカーセット、前記非アンカーセット、またはそれらの組合せのうちの１つまたは複数を少なくとも１つのユーザ機器（ＵＥ）にシグナリングすることと
を行うように構成された、装置。
［Ｃ４１］  前記少なくとも１つのプロセッサが、サブフレームの前記アンカーセット上でダウンリンク割当て、アップリンク許可、またはそれらの組合せのうちの１つまたは複数を送信することによってサブフレームにわたってスケジュールすることを行うようにさらに構成された、Ｃ４０に記載の装置。
［Ｃ４２］  前記少なくとも１つのプロセッサが、サブフレームの前記非アンカーセットのためにハイブリッド自動再送要求（ＨＡＲＱ）構成を再定義するようにさらに構成された、Ｃ４０に記載の装置。
［Ｃ４３］  前記再定義されたＨＡＲＱ構成が、非アンカーサブフレームのために前にスケジュールされたＡＣＫ／ＮＡＣＫ送信をアンカーサブフレームまで遅延させる、Ｃ４２に記載の装置。
［Ｃ４４］  前記再定義されたＨＡＲＱ構成が、前記非アンカーサブフレームに対して前にスケジュールされた前記ＡＣＫ／ＮＡＣＫ送信を、前記アンカーサブフレームに対してスケジュールされた前記ＡＣＫ／ＮＡＣＫ送信とバンドルする、Ｃ４３に記載の装置。
［Ｃ４５］  前記少なくとも１つのプロセッサが、前記再定義されたＨＡＲＱ構成を可能にするようにさらに構成された、Ｃ４２に記載の装置。
［Ｃ４６］  前記少なくとも１つのプロセッサが、異なるＵＥに異なるアンカーサブフレーム構成をシグナリングするようにさらに構成された、Ｃ４０に記載の装置。
［Ｃ４７］  前記少なくとも１つのプロセッサが、サブフレームの前記アンカーセットのみの上でＵＥのサブセットと通信するようにさらに構成された、Ｃ４０に記載の装置。
［Ｃ４８］  前記少なくとも１つのプロセッサが、アンカーサブフレームについての第１のチャネル状態情報（ＣＳＩ）と非アンカーサブフレームについての第２のＣＳＩとを報告するように前記少なくとも１つのＵＥを構成するようにさらに構成された、Ｃ４０に記載の装置。
［Ｃ４９］  前記シグナリングすることが、システム情報ブロック（ＳＩＢ）シグナリング、無線リソース制御（ＲＲＣ）シグナリング、Ｘ２シグナリング、または物理ダウンリンク制御チャネル（ＰＤＣＣＨ）シグナリングである、Ｃ４０に記載の装置。
［Ｃ５０］  前記シグナリングすることがＵＥ固有またはグループＵＥベースである、Ｃ４９に記載の装置。
［Ｃ５１］  干渉時分割複信（ＴＤＤ）構成と、第１の基地局のアップリンク通信と第２の基地局のダウンリンク通信との間の不整合から生じる干渉とを識別するための手段と、
前記識別された干渉ＴＤＤ構成に少なくとも部分的に基づいて干渉管理を実行するための手段と
を備える、ワイヤレス通信のための装置。
［Ｃ５２］  ユーザ機器（ＵＥ）によって、前記ＵＥのダウンリンクサブフレーム中のアップリンク干渉を測定するための手段と、
前記アップリンク干渉をｅノードＢに報告するための手段と
を備える、ワイヤレス通信のための装置。
［Ｃ５３］  複数のアップリンク構成およびダウンリンク構成にわたって共通であるサブフレームのアンカーセットを定義するための手段と、
異なるアップリンク構成およびダウンリンク構成にわたって潜在的に共通でないサブフレームの非アンカーセットを定義するための手段と、
前記アンカーセット、前記非アンカーセット、またはそれらの組合せのうちの１つまたは複数を少なくとも１つのユーザ機器（ＵＥ）にシグナリングするための手段と
を備える、ワイヤレス通信のための装置。
［Ｃ５４］  ワイヤレス通信のためのコンピュータプログラム製品であって、
プログラムコードを記録した非一時的コンピュータ可読媒体を備え、前記プログラムコードが、
干渉時分割複信（ＴＤＤ）構成と、第１の基地局のアップリンク通信と第２の基地局のダウンリンク通信との間の不整合から生じる干渉とを識別するためのプログラムコードと、
前記識別された干渉ＴＤＤ構成に少なくとも部分的に基づいて干渉管理を実行するためのプログラムコードと
を備える、コンピュータプログラム製品。
［Ｃ５５］  ワイヤレス通信のためのコンピュータプログラム製品であって、
プログラムコードを記録した非一時的コンピュータ可読媒体を備え、前記プログラムコードが、
ユーザ機器（ＵＥ）によって、前記ＵＥのダウンリンクサブフレーム中のアップリンク干渉を測定するためのプログラムコードと、
前記アップリンク干渉をｅノードＢに報告するためのプログラムコードと
を備える、コンピュータプログラム製品。
［Ｃ５６］  ワイヤレス通信のためのコンピュータプログラム製品であって、
プログラムコードを記録した非一時的コンピュータ可読媒体を備え、前記プログラムコードが、
複数のアップリンク構成およびダウンリンク構成にわたって共通であるサブフレームのアンカーセットを定義するためのプログラムコードと、
異なるアップリンク構成およびダウンリンク構成にわたって潜在的に共通でないサブフレームの非アンカーセットを定義するためのプログラムコードと、
前記アンカーセット、前記非アンカーセット、またはそれらの組合せのうちの１つまたは複数を少なくとも１つのユーザ機器（ＵＥ）にシグナリングするためのプログラムコードと
を備える、コンピュータプログラム製品。